(57)【要約】      （修正有）【課題】梱包する内容物に対する多様性を向上させ、容易に梱包する。【解決手段】側面体の両端部をあらかじめ接合し、側面体，上面体９ａ，９ｂおよび底面体８ａ，８ｂに折り線を設け、側面体の折り線に沿って緩衝突起６を形成する切込み７を設けることにより、緩衝構造を組み立てる際に、折り線で折り曲げるのみで側面部，上面部および底面部ならびに緩衝突起６を形成することができるので、梱包する内容物に対する多様性を向上させ、容易に梱包することができる。【選択図】図２
2015217958.tif 000002
【特許請求の範囲】
【請求項１】
箱に内容物を梱包する際に、前記箱と前記内容物との間に設ける緩衝構造となる緩衝材であって、
４つの側面および接合用側面とからなる側面体と、
前記４つの側面の各境界および前記側面と前記接合用側面との境界に設けられる第１の折り線と、
前記側面体の前記折り線と直行する２つ辺の一方に設けられる２つの上面体と、
前記辺の他方に設けられる２つの底面体と、
それぞれの前記上面体の前記側面体との境界に設けられる第２の折り線と、
それぞれの前記上面体に設けられる前記第２の折り線と平行な２つの第３の折り線と、
それぞれの前記底面体の前記側面体との境界に設けられる第４の折り線と、
それぞれの前記底面体に設けられる前記第４の折り線と平行な２つの第５の折り線と、
それぞれの前記第１の折り線に沿って並べて形成されて前記第１の折り線に対して交互に逆向きに突出する緩衝突起を形成するための第１の切込みと、
前記接合用側面に設けられる接合部と
を有し、前記第１の折り線で折り曲げて前記側面体の端部となる前記側面の端部と前記接合用側面とを前記接合部で接合されてなり、
全ての前記第１の折り線で折り曲げて４つの前記側面からなる四角柱の側面形状の側面部および前記側面から突出する前記緩衝突起を形成し、それぞれの前記上面体を前記第２の折り線および前記第３の折り線で折り曲げて２つの前記上面体からなる上面部を形成し、それぞれの前記底面体を前記第４の折り線および前記第５の折り線で折り曲げて２つの前記底面体からなる底面部を形成することにより前記緩衝構造を組み立てることができ、前記緩衝構造の前記側面部，前記上面部および前記底面部で囲まれる領域が前記内容物の収納部となることを特徴とする緩衝材。
【請求項２】
前記底面部が前記内容物の底部と接する前記収納部の底であり、前記上面部が２つの前記上面体で前記内容物の上部を挟み込むことを特徴とする請求項１記載の緩衝材。
【請求項３】
前記緩衝突起のうちの少なくとも一つに、前記緩衝突起を前記収納部の内側向きに突出させるように折り曲げるための第６の折り線が、前記第１の折り線の延長線上に形成されることを特徴とする請求項１または請求項２に記載の緩衝材。
【請求項４】
前記緩衝突起の側端部の少なくとも一方に、前記緩衝突起の突出方向と平行な第２の切込みをさらに有することを特徴とする請求項１〜請求項３のいずれか１項に記載の緩衝材。
【発明の詳細な説明】
【技術分野】
【０００１】
本発明は、内容物におよぶ衝撃を緩衝する緩衝材に関する。
【背景技術】
【０００２】
ワイン等が入ったビンを箱に詰めて運搬する場合がある。この時、ビン等は衝撃により、破壊，破損することがあるので、ビンを緩衝材で梱包した状態で箱詰めされる。
従来の緩衝材としては、ビン等の内容物に沿った形状の発砲樹脂や、ダンボール紙等が用いられていた。
【０００３】
緩衝材としての発砲樹脂は、内容物の部分的な周囲、あるいは内容物の全体を覆う形状に形成され、内容物の一部または全部を覆うことで、外部からの衝撃を緩和させていた。
また、緩衝材としてのダンボール紙は、複数のダンボール紙を組み合わせて、内容物の少なくとも一部を覆う形状にして、内容物の一部または全部を覆うことで、外部からの衝撃を緩和させていた。例えば、切り込みを入れた複数のダンボール紙を、互いに切り込みに係止させることにより、井桁状の緩衝材を形成し、井桁形状の中央部に内容物を挿入して内容物に加わる衝撃を緩和させていた。また、ダンボール紙を折り曲げ、あるいは組み合わせて、内容物の形状に沿った収納部を形成して、内容物を収納した状態でさらにダンボール紙を折り曲げたり組み合わせたりすることにより、内容物を収納した緩衝材を形成していた（例えば、特許文献１参照）。
【先行技術文献】
【特許文献】
【０００４】
【特許文献１】特開２００１−３４８０６９号公報
【発明の概要】
【発明が解決しようとする課題】
【０００５】
しかしながら、従来の緩衝材では、多様な内容物に対応することや、容易に内容物を箱詰めすることが困難であるという問題点があった。
例えば、発砲樹脂の緩衝材の場合、あらかじめ、内容物に沿った形状に加工されているため、多様な内容物に対応することが困難である。また、多様な内容物に対応するために、梱包の際に緩衝材の形状を変更させるとなると、梱包に時間と手間がかかることとなる。
【０００６】
また、ダンボール紙で緩衝材を作成する場合にも、通常の緩衝材は内容物に応じて、複数のダンボール紙を組み合わせたり、複雑に折り曲げたりする必要があるため、様々な内容物に対応することが困難であり、内容物の全周にわたって緩衝効果を奏することが困難であった。さらに、複数のダンボール紙を組み合わせたり、複雑に折り曲げたりする必要があるため、梱包に時間と手間がかかっていた。
【０００７】
本発明は、以上の問題点を解決するために、梱包する内容物に対する多様性を向上させ、容易に梱包することを目的とする。
【課題を解決するための手段】
【０００８】
上記目的を達成するために、本発明の緩衝材は、箱に内容物を梱包する際に、前記箱と前記内容物との間に設ける緩衝構造となる緩衝材であって、４つの側面および接合用側面とからなる側面体と、前記４つの側面の各境界および前記側面と前記接合用側面との境界に設けられる第１の折り線と、前記側面体の前記折り線と直行する２つ辺の一方に設けられる２つの上面体と、前記辺の他方に設けられる２つの底面体と、それぞれの前記上面体の前記側面体との境界に設けられる第２の折り線と、それぞれの前記上面体に設けられる前記第２の折り線と平行な２つの第３の折り線と、それぞれの前記底面体の前記側面体との境界に設けられる第４の折り線と、それぞれの前記底面体に設けられる前記第４の折り線と平行な２つの第５の折り線と、それぞれの前記第１の折り線に沿って並べて形成されて前記第１の折り線に対して交互に逆向きに突出する緩衝突起を形成するための第１の切込みと、前記接合用側面に設けられる接合部とを有し、前記第１の折り線で折り曲げて前記側面体の端部となる前記側面の端部と前記接合用側面とを前記接合部で接合されてなり、全ての前記第１の折り線で折り曲げて４つの前記側面からなる四角柱の側面形状の側面部および前記側面から突出する前記緩衝突起を形成し、それぞれの前記上面体を前記第２の折り線および前記第３の折り線で折り曲げて２つの前記上面体からなる上面部を形成し、それぞれの前記底面体を前記第４の折り線および前記第５の折り線で折り曲げて２つの前記底面体からなる底面部を形成することにより前記緩衝構造を組み立てることができ、前記緩衝構造の前記側面部，前記上面部および前記底面部で囲まれる領域が前記内容物の収納部となることを特徴とする。
【発明の効果】
【０００９】
以上により、梱包する内容物に対する多様性を有し、容易に梱包することができる。
【図面の簡単な説明】
【００１０】
【図１】実施の形態１における緩衝材の展開図
【図２】実施の形態１における緩衝材の構成を示す図
【図３】実施の形態１における緩衝構造の構成を示す斜視図
【図４】実施の形態１における緩衝構造の構成を示す断面図
【図５】本発明の緩衝材を用いて内容物を箱に入れて梱包する工程を説明する斜視図
【図６】本発明の緩衝材を用いて内容物を箱に入れて梱包した状態を例示する斜視図
【図７】実施の形態２における緩衝突起の構成を示す図
【図８】実施の形態２における切込みを備える緩衝突起の構成を示す図
【発明を実施するための形態】
【００１１】
様々な製品等の内容物を、箱等に梱包し、保管，運送する場合がある。内容物としては、ビンに入れられたワイン等の酒類，精密機器をはじめ様々なものがある。このような内容物には、ガラスビン等のわれものや、精密機器等の、衝撃や破損に対する処置が必要な物がある。そのため、このような内容物を梱包する際には、様々な緩衝構造を用いて内容物を衝撃から保護している。
【００１２】
一方、物流の発達，商取引の多様化やインターネットの発達により、消費者が直接生産者から商品を購入する取引や、インターネット上でのネットショッピングが普及している。このような場合、生産者やインターネット上のショップは、電話やインターネットを通じた消費者からの注文に応じて、商品を梱包し、購入者に直接発送している。この際、商品を保護するために緩衝構造を用いている。
【００１３】
本発明の緩衝材は、１枚のダンボール紙に切り込みや折り線が設けられ、緩衝構造の側面に該当する部分の４箇所を折り線で折り曲げて内容物の周囲を保持する側面部を形成し、底面に該当する部分を折り曲げて内容物の底を覆う底面部を形成し、上面に該当する部分を折り曲げて内容物の上部を保護する上面部を形成して緩衝構造を形成する構成である。そして、本発明の緩衝材の特徴は、あらかじめ、側面部の両端部が互いに接合され、側面部の４つの角部の内の対角線上の２箇所を内側に押圧することで、４つの側面で囲まれる形状の側面部を形成することである。また、側面部の折り線に沿って、折り線と直行する方向に突出する緩衝突起を形成する切込みを行い、側面部を折り曲げた際に緩衝突起を折り曲げないことにより、緩衝突起が緩衝構造の外向きに突出し、外部から内容物に及ぶ衝撃を吸収する役割を果たす。さらに、ダンボール紙を折り曲げることにより、内容物の底部を覆う底面部と内容物の上部を保護する上面部とを形成する。なお、４つの側面，底面部および上面部で囲まれる領域が内容物を収納する収納部となる。
【００１４】
このように、本発明の緩衝材によると、あらかじめ側面部の端部がのり付け等により接合されているため、折り線で折り曲げるように、角部を押圧するのみで側面部を形成することができ、内容物の梱包の際に簡易かつ迅速に緩衝構造を組み立てて梱包することができる。また、衝撃を吸収するための緩衝突起を、側面部を形成する際の折り曲げのみで形成することができ、簡易かつ迅速に緩衝構造を組み立てることができる。また、上面部と底面部で内容物の上下の保護もできるため、側面部と合わせて内容物の全周囲にわたって衝撃を吸収することができる。また、側面部をのり付けして固定しているため、端部を係止している場合のように特定の方向での強度が低下せず、あらゆる方向からの衝撃に対しても同じ耐衝撃性を備えることができる。さらに、ダンボール紙を折り曲げるだけで内容物を収納する収納部を形成するため、内容物の形状に沿った形状にする必要が無く、簡易かつ迅速に多様な内容物を梱包することができる。
【００１５】
以下図面を用いて、実施の形態として具体的な緩衝材の構成を説明する。
（実施の形態１）
まず、図１〜図５を用い、内容物がビン入りのワインである場合を例として、実施の形態１における緩衝材について説明する。
【００１６】
図１は実施の形態１における緩衝材の展開図、図２は実施の形態１における緩衝材の構成を示す図であり、図１の展開図に示す展開緩衝材を折りたたんだ緩衝材を示す。図３は実施の形態１における緩衝構造の構成を示す斜視図であり、図３（ａ），図３（ｂ）は緩衝材を梱包するために組み立てて緩衝構造を形成する工程を示す斜視図、図３（ｃ）は上面図、図３（ｄ）は下面図である。図４は実施の形態１における緩衝構造の構成を示す断面図であり、図４（ａ）は図３（ｂ）のＡ−Ａ’断面図、図４（ｂ）は図３（ｂ）のＢ−Ｂ’断面図、図４（ｃ）は図３（ｂ）のＣ−Ｃ’断面図である。図５は本発明の緩衝材を用いて内容物を箱に入れて梱包する工程を説明する斜視図である。図６は本発明の緩衝材を用いて内容物を箱に入れて梱包した状態を例示する斜視図である。
【００１７】
図１〜図４に示すように、まず、１枚のダンボール紙を所定の形状に形成し、所定の箇所を切り込み、所定の箇所に折り目を形成して展開緩衝材２を形成する。さらに、側面部３の端部に接合部４を設け、側面体３を折り目である折り線５ｂおよび折り線５ｄで折り返し、側面体３の両端をのり付け等により接合することにより実施の形態１における緩衝材１が形成される。側面体３は、端から側面３ａ，側面３ｂ，側面３ｃ，側面３ｄ，側面３ｅが連続する構成であり、接合部４は側面３ｅに形成される。側面３ｅの接合部４が側面３ａの端部に接合されることにより、側面３ａと側面３ｅとが一体となり、緩衝材１が形成される。また、側面３ａ，側面３ｂ，側面３ｃ，側面３ｄは緩衝材１を緩衝構造に組み立てた際に側面部となる。実施の形態１における緩衝材１は、この状態で出荷され、内容物の梱包が行われるまで待機する。
【００１８】
さらに、側面体３の各折り線５ａ〜５ｄに沿って、緩衝突起６を形成する切込み７が入れられている。緩衝突起６は、各折り線５ａ〜５ｄに沿って各折り線５ａ〜５ｄに直行する方向に突出し、突出する方向は各折り線５ａ〜５ｄに沿って順に逆向きとなる。切込み７は、緩衝突起６の周囲の内、各折り線５ａ〜５ｄ上を除く三方に形成される。このような切込み７を入れることにより、各折り線５ａ〜５ｄで折り曲げた際に、緩衝突起６は折り曲げられず、各側面３ａ〜３ｄのいずれかに直行する方向に突出する。
【００１９】
また、側面体３の各折り線５ａ〜５ｄと直行する方向の辺から、底面部８を形成する底面体８ａ，底面体８ｂおよび、上面部９を形成する上面体９ａ，上面体９ｂが突出している。底面体８ａ，８ｂと上面体９ａ，９ｂとは、側面体３を挟んで互いに向かい合う位置に設けられる。底面体８ａ，８ｂと上面体９ａ，９ｂとは、側面３ａ，側面３ｂ，側面３ｃ，側面３ｄの内、２つの側面に設けられ、この２つの側面は別の１つの側面を挟んだ位置関係とする。図１，２の例では、側面３ｂ，３ｄに底面体８ａ，８ｂと上面体９ａ，９ｂとが設けられている。
【００２０】
底面体８ａ，８ｂは、それぞれ折り線８ｃでコの字状に折り曲げられ、側面３ｂ，３ｄに接続される。これにより、側面体３の底部に、底面体８ａ，８ｂからなる２つの直方体を並べて底面を塞ぐ底面部８が形成される。同様に、上面体９ａ，９ｂは、それぞれ折り線９ｃでコの字状に折り曲げられる。これにより、側面体３の上部に、上面体９ａ，９ｂからなる２つのコの字型の蓋が上面部９として形成される。
【００２１】
次に、図１〜図４を用いて、内容物を梱包する際に、緩衝材１を緩衝構造１０に組み立てる工程を説明する。
まず、緩衝材１の両側端に相当する折り線５ｂ，５ｄに対して、内側向きに押圧力を加え、折りたたまれた緩衝材１を開き、側面体３が折り線５ａ〜５ｄで折り曲げられることにより、４つの側面３ａ〜３ｄからなる直方体形状の側面部１１が形成される。このとき、各折り線５ａ〜５ｄに沿って形成される緩衝突起６は折り曲げられないため、緩衝突起６が側面３ａ〜３ｄから突出する。また、緩衝突起６を形成する切込み７は、各折り線５ａ〜５ｄに対して交互に逆方向に形成されるので、緩衝突起６は隣接する側面に対して交互に直行する逆方向に突出することになる。例えば、折り線５ｄ上において、最端の緩衝突起６が側面３ｂに対して直行する向き、すなわち側面３ａに平行する向きに突出すると、次の緩衝突起６は側面３ｃに対して直行する向き、すなわち側面３ｃに平行する向きに突出する。このように連続する緩衝突起６は交互に９０°異なる向きに突出する。なお、緩衝突起６間の間隔は、必要な緩衝力に応じてあらかじめ決定する（図３（ａ）の状態）。
【００２２】
次に、底面体８ａ，８ｂを、それぞれ折り線８ｃに沿ってコの字状に折り曲げ、それぞれが形成されている側面に先端部分を接続する。これにより、側面部１１の底部に、底面体８ａ，８ｂからなる２つの直方体を並べて底面を塞ぐ底面部８が形成される。すなわち、底面部８は収納部の底となる。同様に、上面体９ａ，９ｂを、それぞれ折り線９ｃに沿ってコの字状に折り曲げる。これにより、側面部１１の上部に、上面体９ａ，９ｂからなる２つのコの字型の蓋が上面部９として形成される。ここで、側面部１１，上面部９，底面部８で囲まれた領域が、内容物を収納する収納部１２となる。このようにして、緩衝構造１０が形成される（図３（ｂ）の状態）。
【００２３】
このように、本発明の緩衝材１によると、あらかじめ側面体３の２つの端部が接合されているため、緩衝材１の２つの側面を内側に押圧するだけで側面部１１を形成することができ、簡易かつ迅速に緩衝構造１０を組み立てて、内容物を容易に梱包することができる。また、上面部９として一端が固定されない２つのコの字型の蓋で構成されると共に、内容物の収納部１２が側面部１１で囲まれた角柱の中空部で構成されるため、内容物の形状に則した収納部を形成することなく、多様な内容物を収納することができる。
【００２４】
このような緩衝構造１０において、上面部９および底面部８により、内容物に及ぶ外部からの衝撃を吸収することができる。また、側面部１１で内容物を保護し、箱を通じて外部から加わる衝撃を、緩衝突起６により吸収することができる。なお、緩衝突起６の突出方向の長さ，幅，および間隔は、内容物の保護と衝撃吸収力に応じてあらかじめ調整することができる。また、緩衝突起６の個数も内容物の保護と衝撃吸収力に応じてあらかじめ調整することができる。また、緩衝突起６毎に、長さ，幅，および間隔を異ならせる構成としても良い。
【００２５】
次に、図５，図６を用いて、本発明の緩衝材を用いて内容物を箱に梱包する工程を説明する。
まず、上面部９を開いた状態で、緩衝材１の収納部１２（図３参照）に内容物の例としてワイン等が入ったビン１３を入れる。ビン１３の底は底面部８に接して保護され、ビン１３の側面は側面部１１と接し、またはわずかな隙間を隔てて保護される。次に、上面部９を閉じ、ビン１３の上部を覆うか、またはビン１３の上方部分を２つの上面部９で挟み込む。これにより、ビン１３の上方が保護される（図５の状態）。最後に、ビンを収納した状態で、緩衝材１を箱１４の中に入れてビン１３を梱包する。
【００２６】
例えば、ネットストアでワインを購入した場合、販売者は購入者からの注文に応じて、ワインを緩衝構造１０を用いて箱１４で梱包し、商品であるワインを発送する。
このように、本発明の緩衝材１を用いると、あらかじめ側面体３の２つの端部が接合されているため、簡易かつ迅速に緩衝構造１０を組み立てることができ、内容物の梱包に便利である。また、側面部１１と底面部８と上面部９とで囲まれた領域を収納部１２とし、収納部１２に配置された内容物を、側面部１１と底面部８と上面部９とで保護するため、内容物の形状に応じて緩衝材１を形成する必要が無く、多様な内容物の梱包に用いることができる。特に上面部９は２つのコの字構造を固定していないため、内容物の上部を覆うように梱包することも、内容物の上部を上面部９で挟んで保護することもでき、内容物の長さも自由度を増し、より多様な内容物の梱包に用いることができる。同時に、上面部９が固定されていないため、緩衝構造１０を簡便に形成してから内容物を収納し、その後、箱１４内に梱包することができる。そのため、内容物を配置してから緩衝構造１０を形成する場合に比べて緩衝構造１０の形成が容易となり、より、容易かつ迅速に梱包することが可能となる。また、側面体３の２つの端部が接合されているため、切込み等で係止されている場合に比べて強度が増し、あらゆる方向に対して耐衝撃性を向上させることができる。さらに、側面部１１の角部に緩衝突起６が設けられているため、箱１４の外部から加えられる外力に対して、緩衝突起６が座屈することにより、衝撃を吸収することができる。また、衝撃吸収力の調整は、緩衝突起６の数や長さ、間隔等を調整することにより、容易に行うことができる。
（実施の形態２）
次に、図７，図８を用いて、緩衝突起の構成例を実施の形態２として説明する。
【００２７】
図７は実施の形態２における緩衝突起の構成を示す図であり、図７（ａ）は展開緩衝材における緩衝突起の構成を示す要部平面図、図７（ｂ）は緩衝構造における緩衝突起の構成を示す要部斜視図である。図８は実施の形態２における切込みを備える緩衝突起の構成を示す図であり、図８（ａ）は展開緩衝材における緩衝突起の構成を示す要部平面図、図８（ｂ），図８（ｃ）は緩衝構造における緩衝突起の構成を例示する要部斜視図である。
【００２８】
実施の形態１においては、交互に隣接する２面に直行する方向に突出する緩衝突起を並べる構成について説明した。
実施の形態２における緩衝突起は、図７に示すように、緩衝突起１６の一部を、折り線５ｃの延長線上の折り線１５で収納部側に折り曲げる。ここでは、この内側に折り曲げる緩衝突起を緩衝突起１７と称す。
【００２９】
これにより、緩衝突起１６は緩衝構造１８の外側に突出して外部からの衝撃を吸収し、緩衝突起１７は緩衝構造１８の内側に突出して内容物を保持すると共に、内容物に及ぶ衝撃を吸収することができる。また、緩衝突起１７により、内容物の大きさの多様性を向上させることができる。緩衝突起１７は、緩衝構造１８角部で内側に突出するため、特に円柱形でない内容物の保持に有効である。
【００３０】
なお、図７では、折り線５ｃに沿う緩衝突起のいずれかを緩衝突起１７としたが、折り線５ａ〜５ｄの少なくともいずれかの緩衝突起のいずれかを緩衝突起１７とすれば良い。
また、図８に示すように、緩衝突起１６，緩衝突起１７の少なくとも１つの、両端部の内の少なくともいずれかに、切込み１９を設けても良い。
【００３１】
このような切込み１９を設けることにより、側面部１１に強度が必要な時には緩衝突起の端部を折り曲げて側面部１１の一部として用い（図８（ｂ）の状態）、緩衝突起１６，緩衝突起１７に大きな緩衝効果が必要なときは緩衝突起の端部を折り曲げずに、緩衝突起１６，緩衝突起１７の幅を大きくする（図８（ｃ）の状態）。
【００３２】
これにより、多様性な内容物を容易に梱包できると共に、緩衝構造１８の強度と緩衝効果を調整することができる。
なお、ここでは、緩衝突起１６，緩衝突起１７の少なくともいずれかに切込み１９を設けたが、実施の形態１における緩衝突起６（図１参照）に同様の切込み１９を設けても良い。
【符号の説明】
【００３３】
１    緩衝材
２    展開緩衝材
３    側面体
３ａ    側面
３ｂ    側面
３ｃ    側面
３ｄ    側面
３ｅ    側面
４    接合部
５ａ    折り線
５ｂ    折り線
５ｃ    折り線
５ｄ    折り線
６    緩衝突起
７    切込み
８    底面部
８ａ    底面体
８ｂ    底面体
８ｃ    折り線
９    上面部
９ａ    上面体
９ｂ    上面体
９ｃ    折り線
１０    緩衝構造
１１    側面部
１２    収納部
１３    ビン
１４    箱
１５    折り線
１６    緩衝突起
１７    緩衝突起
１８    緩衝構造
１９    切込み
【図１】
2015217958.tif 000003
【図２】
2015217958.tif 000004
【図３】
2015217958.tif 000005
【図４】
2015217958.tif 000006
【図５】
2015217958.tif 000007
【図６】
2015217958.tif 000008
【図７】
2015217958.tif 000009
【図８】
2015217958.tif 000010
【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
箱に内容物を梱包する際に、押し開くことにより前記箱と前記内容物との間に設ける緩衝構造となる緩衝材であって、
４つの側面および接合用側面とからなる側面体と、
前記４つの側面の各境界および前記側面と前記接合用側面との境界に設けられる第１の折り線と、
前記側面体の前記折り線と直行する２つ辺の一方に設けられる２つの上面体と、
前記辺の他方に設けられる２つの底面体と、
それぞれの前記上面体の前記側面体との境界に設けられる第２の折り線と、
それぞれの前記上面体に設けられる前記第２の折り線と平行な２つの第３の折り線と、
それぞれの前記底面体の前記側面体との境界に設けられる第４の折り線と、
それぞれの前記底面体に設けられる前記第４の折り線と平行な２つの第５の折り線と、
それぞれの前記第１の折り線に沿って並べて形成されて前記第１の折り線に対して交互に逆向きに突出する緩衝突起を形成するための第１の切込みと、
前記接合用側面に設けられる接合部と
を有し、１つの前記第１の折り線を挟む２つの前記第１の折り線で折り曲げられると共に前記側面体の端部となる前記側面の端部と前記接合用側面とが前記接合部で接合されており、
前記緩衝構造を形成する際には前記緩衝材の折り曲げられた２つの前記第１の折り線を互いに近づける方向に押圧することにより、残りの前記第１の折り線で折り曲げて４つの前記側面からなる四角柱の側面形状の側面部および前記側面から突出する前記緩衝突起を形成し、それぞれの前記上面体を前記第２の折り線および前記第３の折り線で折り曲げて２つの前記上面体からなる上面部を形成し、それぞれの前記底面体を前記第４の折り線および前記第５の折り線で折り曲げて２つの前記底面体からなる底面部を形成でき、前記緩衝構造の前記側面部，前記上面部および前記底面部で囲まれる領域が前記内容物の収納部となることを特徴とする緩衝材。
【請求項２】
前記底面部が前記内容物の底部と接する前記収納部の底であり、前記上面部が２つの前記上面体で前記内容物の上部を挟み込むことを特徴とする請求項１記載の緩衝材。
【請求項３】
前記緩衝突起のうちの少なくとも一つに、前記緩衝突起を前記収納部の内側向きに突出させるように折り曲げるための第６の折り線が、前記第１の折り線の延長線上に形成されることを特徴とする請求項１または請求項２に記載の緩衝材。
【請求項４】
前記緩衝突起の側端部の少なくとも一方に、前記第１の折り線から前記衝突突起の端部にいたる前記緩衝突起の突出方向と平行な第２の切込みをさらに有し、突出する前記衝突突起の前記第１の折り線と平行な幅を調整可能であることを特徴とする請求項１〜請求項３のいずれか１項に記載の緩衝材。
【手続補正２】
【補正対象書類名】明細書
【補正対象項目名】０００８
【補正方法】変更
【補正の内容】
【０００８】
上記目的を達成するために、本発明の緩衝材は、箱に内容物を梱包する際に、押し開くことにより前記箱と前記内容物との間に設ける緩衝構造となる緩衝材であって、４つの側面および接合用側面とからなる側面体と、前記４つの側面の各境界および前記側面と前記接合用側面との境界に設けられる第１の折り線と、前記側面体の前記折り線と直行する２つ辺の一方に設けられる２つの上面体と、前記辺の他方に設けられる２つの底面体と、それぞれの前記上面体の前記側面体との境界に設けられる第２の折り線と、それぞれの前記上面体に設けられる前記第２の折り線と平行な２つの第３の折り線と、それぞれの前記底面体の前記側面体との境界に設けられる第４の折り線と、それぞれの前記底面体に設けられる前記第４の折り線と平行な２つの第５の折り線と、それぞれの前記第１の折り線に沿って並べて形成されて前記第１の折り線に対して交互に逆向きに突出する緩衝突起を形成するための第１の切込みと、前記接合用側面に設けられる接合部とを有し、１つの前記第１の折り線を挟む２つの前記第１の折り線で折り曲げられると共に前記側面体の端部となる前記側面の端部と前記接合用側面とが前記接合部で接合されており、前記緩衝構造を形成する際には前記緩衝材の折り曲げられた２つの前記第１の折り線を互いに近づける方向に押圧することにより、残りの前記第１の折り線で折り曲げて４つの前記側面からなる四角柱の側面形状の側面部および前記側面から突出する前記緩衝突起を形成し、それぞれの前記上面体を前記第２の折り線および前記第３の折り線で折り曲げて２つの前記上面体からなる上面部を形成し、それぞれの前記底面体を前記第４の折り線および前記第５の折り線で折り曲げて２つの前記底面体からなる底面部を形成でき、前記緩衝構造の前記側面部，前記上面部および前記底面部で囲まれる領域が前記内容物の収納部となることを特徴とする。
【手続補正３】
【補正対象書類名】明細書
【補正対象項目名】００３１
【補正方法】変更
【補正の内容】
【００３１】
このような切込み１９を設けることにより、側面部１１に強度が必要な時には緩衝突起の端部を折り曲げて側面部１１の一部として用い（図８（ｃ）の状態）、緩衝突起１６，緩衝突起１７に大きな緩衝効果が必要なときは緩衝突起の端部を折り曲げずに、緩衝突起１６，緩衝突起１７の幅を大きくする（図８（ｂ）の状態）。